(57)【要約】  買い物かごは、商品を収容可能なかご本体と、かご本体の下開口部を開閉可能にかご本体に取り付けられた底部とを備える。底部が下開口部を閉じると、かご本体と底部とで囲まれた内部空間に商品が収容可能となる。底部が下開口部を開放すると、下開口部を通して内部空間から商品を取り出し可能に構成されている。この買い物かごにより、商品を収容容器に移し替えるときに、ユーザーは買い物かごの上開口部から商品を一つずつ持ち上げて取り出す必要がない。
2017094261.tif 000002
【特許請求の範囲】
【請求項１】
上下方向で互いに反対側に位置する上開口部と下開口部とを有し、商品を収容可能なかご本体と、
前記下開口部を開閉可能に前記かご本体に取り付けられた底部と、
を備え、
前記底部が前記下開口部を閉じると、前記かご本体と前記底部とで囲まれてかつ前記上開口部と前記下開口部とに繋がる内部空間に前記商品が収容可能となり、
前記底部が前記下開口部を開放すると、前記下開口部を通して前記内部空間から前記商品を取り出し可能に構成されている、買い物かご。
【請求項２】
前記底部は、前記かご本体に対して前記上下方向と異なる横方向に移動可能に構成されている、請求項１に記載の買い物かご。
【請求項３】
前記底部は、前記かご本体に対してスライド可能な板体を有している、請求項１または請求項２に記載の買い物かご。
【請求項４】
前記かご本体は、前記板体の移動をガイドするガイドレールを有する、請求項３に記載の買い物かご。
【請求項５】
前記板体は、前記下開口部を塞ぐことができて、かつ前記かご本体に対して引き抜き方向にスライドすることで前記下開口部を開放するように移動するように構成されており、
前記板体は、前記引き抜き方向の第１の端部領域と、前記第１の端部領域と反対側の第２の端部領域と、前記第１の端部領域と前記第２の端部領域との間に位置して前記第１の端部領域と前記第２の端部領域とに繋がる中央領域とを有し、
前記板体の前記第２の端部領域の剛性は、前記中央領域の剛性より大きい、請求項３または請求項４に記載の買い物かご。
【請求項６】
前記板体の前記第２の端部領域の前記上下方向の厚さの平均は、前記中央領域の前記上下方向の厚さの平均より大きい、請求項５に記載の買い物かご。
【請求項７】
前記板体は、
板形状を有する基板部と、
前記基板部の上面と下面のうちの一方から突出するリブと、
を有し、
前記板体の前記第２の端部領域は、前記第２の側壁に対向する外縁を含み、
前記板体の第２の端部領域において、前記基板部の前記上下方向の厚さは前記外縁に近づくにつれて大きくなる、請求項６に記載の買い物かご。
【請求項８】
前記板体は、
板形状を有する基板部と、
前記基板部の上面から突出する複数のリブと、
を有する、請求項３または４に記載の買い物かご。
【請求項９】
前記かご本体には、前記板体が挿入された挿入スリットが設けられており、
前記板体は、前記下開口部を塞ぐことができて、かつ引き抜き方向にスライドすることで前記下開口部を開放するように前記挿入スリットを通して移動するように構成されており、
前記板体の前記複数のリブは前記引き抜き方向に延び、
前記かご本体の前記挿入スリットは、前記基板部の前記上面に対向する上内縁を有し、
前記かご本体は、前記挿入スリットの前記上内縁から下方向に突出する複数の突起を有し、
前記複数の突起は、前記板体が前記下開口部を開放しながら前記挿入スリットを通して前記引き抜き方向に移動する際に前記複数のリブの間に配置されるように構成されており、
前記板体が前記下開口部を開放しながら前記挿入スリットを通して前記かご本体から前記引き抜き方向に移動する際に、前記かご本体の前記複数の突起は、前記基板部の前記上面に平行でかつ前記引き抜き方向に直角の方向において前記複数のリブと部分的に重なっている、請求項８に記載の買い物かご。
【請求項１０】
前記かご本体は、
前記板体が挿入された挿入スリットが設けられた第１の側壁と、
前記内部空間を挟んで前記第１の側壁の反対側の第２の側壁と、
前記第１の側壁の両端の一方から前記第２の側壁の両端の一方まで延びる第３の側壁と、
前記第１の側壁の前記両端の他方から前記第２の側壁の前記両端の他方まで延びて、前記内部空間を挟んで前記第３の側壁の反対側に位置する第４の側壁と、
を有し、
前記板体は、前記下開口部を塞ぐことができて、かつ引き抜き方向にスライドすることで前記下開口部を開放するように前記挿入スリットを通して移動するように構成されており、
前記板体は、第２の側壁に対向する凹んだ第１の外縁を有する、請求項３または４に記載の買い物かご。
【請求項１１】
前記かご本体の前記第２の側壁には、前記板体が前記下開口部を塞いだときに前記板体の前記第１の外縁が嵌まり込む第１の溝が設けられている、請求項１０に記載の買い物かご。
【請求項１２】
前記板体は、
前記かご本体の前記第３の側壁に対向してかつ前記第１の外縁に繋がる第２の外縁と、
前記かご本体の前記第４の側壁に対向してかつ前記第１の外縁に繋がる第３の外縁と、
をさらに有し、
前記第３の側壁と前記第４の側壁には、前記板体が前記引き抜き方向にスライドする際に前記板体の前記第２の外縁と前記第３の外縁とがスライドする第２の溝と第３の溝がそれぞれ設けられている、請求項１１に記載の買い物かご。
【請求項１３】
前記第１の溝は前記第２の溝と前記第３の溝とに繋がっている、請求項１２に記載の買い物かご。
【請求項１４】
前記下開口部が開放されるときに、前記底部に置かれた前記商品の配置を保つように構成された配置維持部をさらに備えた、請求項３または請求項４に記載の買い物かご。
【請求項１５】
前記配置維持部は、前記かご本体に固定された第１の端部と、前記第１の端部の反対側に位置する第２の端部とを有するシート状部材を有しており、
前記シート状部材は、前記第１の端部から前記第２の端部に向かって前記板体の上面と下面とにこの順で沿うように延びる、請求項１４に記載の買い物かご。
【請求項１６】
前記底部は、前記下開口部を閉じて前記商品を載せることができる第１の回転体と第２の回転体とを有しており、
前記第１の回転体と前記第２の回転体とは、前記かご本体に対して軸部周りの互いに異なる方向に回転可能に構成されている、請求項１または請求項２に記載の買い物かご。
【請求項１７】
前記軸部は、前記第１の回転体を軸支する第１の軸と、前記第２の回転体を軸支する第２の軸とを有し、
前記第１の回転体と前記第２の回転体とが前記下開口部を閉じた状態において、前記第１の軸は、前記第１の回転体における前記第２の回転体に対向する端部に設けられており、前記第２の軸は、前記第２の回転体における前記第１の回転体に対向する端部に設けられている、請求項１６に記載の買い物かご。
【請求項１８】
前記第１の回転体と前記第２の回転体の各々は、互いに移動可能である複数の分割体を有し、
前記第１の回転体と前記第２の回転体とが互いに離れる方向に回転すると、前記複数の分割体は、互いに重なり合いながら前記下開口部を開放させるように構成されている、請求項１６または請求項１７に記載の買い物かご。
【請求項１９】
前記第１の回転体と前記第２の回転体とは、互いに異なる方向に同期して回転するように構成されている、請求項１６から請求項１８のいずれか一項に記載の買い物かご。
【発明の詳細な説明】
【技術分野】
【０００１】
本発明は、買い物かごに関する。
【背景技術】
【０００２】
特許文献１は、上方に開口した箱形状を有して、底板と４つの側壁とを備えた買い物かごを開示している。この買い物かごでは底板と４つの側壁とが一体成形されており、その内部空間が商品を入れる収納空間となっている。【０００３】
ユーザーは、例えば、スーパーマーケットにおいて、陳列された商品を選択して、選択した商品を買い物かごに収容する。この後、ユーザーは、買い物かごに収容された商品の費用を支払い、商品を買い物袋などの他の収容容器に移し替える。
【先行技術文献】
【特許文献】
【０００４】
【特許文献１】登録実用新案第３１３５２２１号公報
【発明の概要】
【０００５】
買い物かごは、商品を収容可能なかご本体と、かご本体の下開口部を開閉可能にかご本体に取り付けられた底部とを備える。底部が下開口部を閉じると、かご本体と底部とで囲まれた内部空間に商品が収容可能となる。底部が下開口部を開放すると、下開口部を通して内部空間から商品を取り出し可能に構成されている。
【０００６】
この買い物かごにより、商品を収容容器に移し替えるときに、ユーザーは買い物かごの上開口部から商品を一つずつ持ち上げて取り出す必要がない。
【図面の簡単な説明】
【０００７】
【図１】図１は、実施形態１における買い物かごの斜視図である。
【図２Ａ】図２Ａは、図１に示す買い物かごの線ＩＩＡ−ＩＩＡにおける断面図である。
【図２Ｂ】図２Ｂは、図１に示す買い物かごの線ＩＩＢ−ＩＩＢにおける断面図である。
【図３Ａ】図３Ａは、実施形態１における買い物かごの使用方法を説明する断面図である。
【図３Ｂ】図３Ｂは、実施形態１における買い物かごの使用方法を説明する断面図である。
【図３Ｃ】図３Ｃは、実施形態１における買い物かごの使用方法を説明する断面図である。
【図３Ｄ】図３Ｄは、実施形態１における買い物かごの使用方法を説明する断面図である。
【図４Ａ】図４Ａは、実施形態１における他の買い物かごの断面図である。
【図４Ｂ】図４Ｂは、実施形態１における図４Ａに示す買い物かごの断面図である。
【図５】図５は、実施形態１におけるさらに他の買い物かごの上面図である。
【図６】図６は、図５に示す買い物かごの線ＶＩ−ＶＩにおける断面図である。
【図７】図７は、図５に示す買い物かごの線ＶＩＩ−ＶＩＩにおける断面図である。
【図８】図８は、図５に示す買い物かごの線ＶＩＩＩ−ＶＩＩＩにおける断面図である。
【図９】図９は、図６に示す買い物かごの板体の上面図である。
【図１０】図１０は、図６に示す買い物かごの部分拡大図である。
【図１１】図１１は、図８に示す買い物かごの部分拡大図である。
【図１２】図１２は、図１１に示す買い物かごの線ＸＶＩＩ−ＸＶＩＩにおける断面図である。
【図１３Ａ】図１３Ａは、図６に示す買い物かごの部分拡大図である。
【図１３Ｂ】図１３Ｂは、実施形態１におけるさらに他の買い物かごの部分拡大図である。
【図１４Ａ】図１４Ａは、実施形態２における買い物かごの斜視図である。
【図１４Ｂ】図１４Ｂは、実施形態２における買い物かごの斜視図である。
【図１４Ｃ】図１４Ｃは、実施形態２における買い物かごの斜視図である。
【図１４Ｄ】図１４Ｄは、図１４Ｂに示す買い物かごの部分拡大図である。
【図１５Ａ】図１５Ａは、実施形態２における買い物かごの正面図である。
【図１５Ｂ】図１５Ｂは、実施形態２における買い物かごの正面図である。
【図１５Ｃ】図１５Ｃは、実施形態２における買い物かごの正面図である。
【図１６Ａ】図１６Ａは、実施形態２における他の買い物かごの断面図である。
【図１６Ｂ】図１６Ｂは、実施形態２におけるさらに他の買い物かごの断面図である。
【発明を実施するための形態】
【０００８】
（１）実施形態１
（１−１）概要
実施形態１の買い物かごは、例えば、コンビニエンスストア、スーパーマーケット、百貨店、ドラッグストアなどの店舗に備え付けられており、商品購入者であるユーザーが陳列された商品を選び、選んだ商品を持ち運ぶ際に利用される。
【０００９】
図１は実施形態１における買い物かご５０１の斜視図である。図２Ａは図１に示す買い物かご５０１の線ＩＩＡ−ＩＩＡにおける断面図である。図２Ｂは図１に示す買い物かご５０１の線ＩＩＢ−ＩＩＢにおける断面図である。買い物かご５０１は、かご本体１と、底部２と、２つの把持部６とを備えている。かご本体１は、上開口部１１と下開口部１２とを有する周壁１３を備えている。買い物かご５０１は、手動または自動で、底部２が移動して、下開口部１２が開放するように構成されている。買い物袋の袋口等の収容容器の収容口を開いて上方に開口させた状態で、この収容容器の収容口の上方に、商品が収容された買い物かご５０１を配置する。そして、この状態で底部２を移動させて下開口部１２を開放し、商品を下開口部１２から取り出す。この後、買い物かご５０１を取り除くことで、買い物かご５０１内の商品を、収容容器の収容口内に残すことができる。
【００１０】
特許文献１に開示されている買い物かごでは、商品を収容容器に移し替えるときに、ユーザーは、買い物かごの上方の開口から商品を一つずつ持ち上げて取り出し、収容容器に入れるという作業を繰り返さなければならない。
【００１１】
実施形態１における買い物かご５０１によれば、特許文献１に開示されている買い物かごにおいて必要な商品を移し替える作業を省くことができ、ユーザーの手間を省くことができる。
【００１２】
（１−２）詳細
以下、本実施形態の買い物かご５０１について詳しく説明する。ただし、以下に説明する構成は、本発明の一例に過ぎず、本発明は下記実施形態に限定されない。本発明に係る技術的思想を逸脱しない範囲であれば、設計仕様等に応じて、下記実施形態からの種々の変更が可能である。
【００１３】
図１と図２Ａ、図２Ｂにおいて、上下方向ＤＥＦおよび横方向ＤＬを定義する。上下方向ＤＥＦは、上方向ＤＥと下方向ＤＦとに平行である。横方向ＤＬは、前方向ＤＡと、後方向ＤＢと、左方向ＤＣと、右方向ＤＤとのいずれかである。前方向ＤＡおよび後方向ＤＢに平行な前後方向ＤＡＢと、左方向ＤＣおよび右方向ＤＤに平行な左右方向ＤＣＤとを定義する。これらの方向は、かご本体や底部等の買い物かごの構成部材の相対的な位置関係でのみ決まる相対的な方向であり、鉛直方向等の絶対的な方向ではない。横方向ＤＬは上下方向ＤＥＦと異なる方向であり、実施形態１では、上下方向ＤＥＦと左右方向ＤＣＤと前後方向ＤＡＢは互いに直角であり、すなわち横方向ＤＬは上下方向ＤＥＦに直角である。
【００１４】
買い物かご５０１は、図１に示すように、かご本体１と、底部２と、２つの把持部６とを備えている。
【００１５】
かご本体１は、買い物かご５０１の主体を構成し、商品を収容可能に形成されている。かご本体１は、底部２の周囲を囲んでおり、かご本体１と底部２とで買い物かご５０１の内部空間５０１ａを形成する。かご本体１は、樹脂、金属、竹などにより構成されるが、材質は特に限定されない。また、かご本体１は、編んで形成されたものに限らず、合成樹脂により網状に一体成形されてもよく、金属製の線材で形成されてもよく、あるいは、板形状の部材を組合わせて形成されてもよい。
【００１６】
周壁１３は、かご本体１の外郭を形成する。周壁１３は、互いに対向する２つの側壁１４と、互いに対向する２つの側壁１７とを備え、平面視すなわち上方から見て左右方向ＤＣＤに細長く延びる矩形枠形状を有する。２つの側壁１４は左右方向ＤＣＤで互いに離れている。２つの側壁１７は前後方向ＤＡＢで互いに離れている。左方向ＤＣに位置する側壁１４は２つの側壁１７の左方向ＤＣの端部の間に架け渡されており、右方向ＤＤに位置する側壁１４は２つの側壁１７の右方向ＤＤの端部の間に架け渡されている。
【００１７】
側壁１４は、図２Ａと図２Ｂに示すように、側壁１４内に底部２を収納できるように構成されている。側壁１４は、隙間１４ｇを介して互いに対向する内壁１５と外壁１６とを備える。内壁１５は内部空間５０１ａに面しており、周壁１３の内面の一部を構成する。外壁１６は、内壁１５に対して左右方向ＤＣＤの外側に配置されており、周壁１３の外面の一部を構成する。内壁１５と外壁１６とは隙間１４ｇを介して互いに離れて配置されており、隙間１４ｇに底部２が収納可能に構成されている。
【００１８】
上開口部１１は、かご本体１の上面が開口して形成されている。上開口部１１は内部空間５０１ａに通じており、上開口部１１を通して内部空間５０１ａに商品を入れることができる。本実施形態の上開口部１１は、かご本体１の上面全てに形成されているが、かご本体１の上面のうちの一部に形成されてもよい。
【００１９】
下開口部１２はかご本体１の下面が開口して形成されている。下開口部１２は内部空間５０１ａに通じており、内部空間５０１ａに収納された商品を下方に通過させることができるように構成されている。本実施形態の下開口部１２はかご本体１の下面全てに形成されているが、かご本体１の下面のうちの一部に形成されてもよい。
【００２０】
底部２は下開口部１２を開閉可能とするようにかご本体１に取り付けられる。底部２の上面は商品を載せる載置面２１である。底部２は下開口部１２に対して横方向ＤＬに移動可能な板体２２を有している。実施形態１では板体２２は左右方向ＤＣＤにスライド可能である。
【００２１】
板体２２はかご本体１の下端部にスライド可能に取り付けられており、下開口部１２を開閉可能に構成されている。ここで、「スライド」とは、一定の姿勢で板体２２が移動すること、または擦りながら移動することを意味する。
【００２２】
板体２２は、２つの可とう板２３により構成されている。各可とう板２３は、スライド可能な左右方向ＤＣＤには、上方向ＤＥに変形可能であるが、前後方向ＤＡＢには、上下方向ＤＥＦに変形しにくいように構成されている。２つの可とう板２３は２つの側壁１４に一対一で対応するように配置されている。各可とう板２３は、対応する側壁１４に向かって移動させることで、対応する側壁１４の内壁１５と外壁１６との間の隙間１４ｇに収納可能となっている。
【００２３】
各可とう板２３は、例えば、左右方向ＤＣＤで互いに連結されている上面をそれぞれ有して前後方向ＤＡＢに細長く延びる複数の個片部材２４よりなる。実施形態１では、可とう板２３が軽くかつ高い強度を有するように、個片部材２４は中空部を有して前後方向ＤＡＢに延びる筒形状を有する。
【００２４】
かご本体１には、２つの可とう板２３の移動をそれぞれガイドする２つのガイドレール３が設けられている。２つのガイドレール３は、図２Ｂに示すように、２つの側壁１７に一対一で設けられている。各ガイドレール３は、各側壁１７の下端部から、内部空間５０１ａに向かって突出している。各ガイドレール３は、溝３ｇを介して互いに対向する上片３１と下片３２とで構成されており、上片３１と下片３２との間の溝３ｇに可とう板２３がスライド自在に嵌め込まれている。２つの可とう板２３の前後方向ＤＡＢの端部は２つのガイドレール３によってそれぞれ支持されている。
【００２５】
本実施形態の買い物かご５０１は、配置維持部４を備えている。配置維持部４は、底部２が下開口部１２を開放するときに、底部２に載せられた商品の配置を保つように構成されている。ここで「商品の配置」とは、買い物かご５０１の底部２における商品の位置を意味し、複数の商品の位置関係を意味するものではない。
【００２６】
配置維持部４は、２つのシート状部材４０により構成されている。各シート状部材４０は、変形自在な薄形部材からなり、例えば、布、紙、木、軟質樹脂、ゴムが例示される。本実施形態の各シート状部材４０は、帯状の布により構成されている。シート状部材４０は端部４１から長手方向Ｌ４０に端部４２まで延びている。シート状部材４０の前後方向ＤＡＢでの幅は、可とう板２３の前後方向ＤＡＢでの幅よりも小さい。
【００２７】
シート状部材４０の端部４１は、可とう板２３の上方でかご本体１の内周面において下開口部１２の開口周縁に固定されている。具体的には、シート状部材４０の端部４１は、２つの側壁１７に架け渡された固定具４３に固定されており、側壁１４の内壁１５の下端に沿って固定されている。
【００２８】
可とう板２３は、上面１２３と、下面２２３と、上面１２３と下面２２３とに繋がる先端３２３とを有する。シート状部材４０は、端部４１から端部４２に向かって、可とう板２３の上面１２３と先端３２３と下面２２３とにこの順に沿うように配置されている。シート状部材４０は、側壁１４の内壁１５と外壁１６との間の隙間１４ｇを通過し、端部４２が巻取部５に連結されている。巻取部５は、２つの側壁１４の各々に設けられている。
【００２９】
巻取部５は、シート状部材４０を巻き取りおよび繰り出し可能に構成されている。巻取部５は、図２Ｂに示すように、前後方向ＤＡＢに延びたシャフト５１と、シャフト５１に固定された操作部５２とを備えている。シャフト５１は、２つの側壁１７の上端部の間に架け渡されており、中心軸５１ｃ周りに回転可能である。シャフト５１には、シート状部材４０の端部４２が固定されている。操作部５２をシャフト５１の中心軸５１ｃ周りに回転することでシャフト５１が回転し、シート状部材４０を巻き取りかつ繰り出し可能なように構成されている。なお、操作部５２は、ユーザーが回転させてもよく、モータ等の電動機が回転させてもよい。
【００３０】
ユーザーは２つの把持部６を合わせて把持してかご本体１を持ち上げる。２つの把持部６はかご本体１にピンで結合されている。２つの把持部６のそれぞれは、２つの側壁１７に架け渡されている。
【００３１】
買い物かご５０１の使用方法を以下に説明する。図３Ａから図３Ｄは買い物かご５０１の使用方法を説明する断面図である。ユーザーは、陳列された商品５０２を選び、図３Ａと図３Ｂに示すように、選んだ商品５０２を買い物かごの底部２に載せて、商品５０２を買い物かご５０１の内部空間５０１ａに収容する。この後、ユーザーは、買い物かご５０１に収容された商品５０２の代金を支払い、精算する。ユーザーは、買い物かご５０１に収容された商品５０２を買い物かご５０１の内部空間５０１ａから買い物袋等の収容容器５０３の内部空間５０３ａ内に以下の方法で移し替える。収容容器５０３は内部空間５０３ａに連通する収容口５０３ｂを有する。本実施形態では、収容口５０３ｂは買い物袋の袋口である。
【００３２】
精算を終えたユーザーは、収容容器５０３の収容口５０３ｂを広げた状態で収容容器５０３をかご載置面７１に載せる。この状態で、買い物かご５０１の下開口部１２が収容容器５０３の収容口５０３ｂの真上に位置するように、商品５０２が収容された買い物かご５０１を底部駆動装置７に載せる。
【００３３】
底部駆動装置７は、本実施形態における買い物かご５０１の底部２を駆動し下開口部１２を開放するように構成されている。底部駆動装置７は、かご載置面７１と、かご載置面７１に載せられた買い物かごの底部２を駆動する駆動部７３ａと、巻取部５を回転駆動させる巻取装置７６とを備える。駆動部７３ａは、かご載置面７１から上方に突出した４つの突起部７３と、４つの突起部７３を移動させる駆動装置７３ｂとを備えている。４つの突起部７３はそれぞれ２つの突起部７３を有する２組の突起部７３に分けられる。駆動装置７３ｂは２組の突起部７３を左右方向ＤＣＤに沿って互いに離れる方向に移動させる。
【００３４】
１組の２つの突起部７３は、前後方向ＤＡＢで互いに離れた１組の２つのピン７４をそれぞれ有し、別の１組の２つの突起部７３は、前後方向ＤＡＢで互いに離れた別の１組の２つのピン７４をそれぞれ有している。１組の２つのピン７４は、可とう板２３の前後方向ＤＡＢの両端に位置する２つの受動部２３ｒにそれぞれ差し込まれるように構成されており、可とう板２３を保持する。同様に、別の１組の２つのピン７４は、別の可とう板２３の前後方向ＤＡＢの両端に位置する別の２つの受動部２３ｒにそれぞれ差し込まれるように構成されており、別の可とう板２３を保持する。駆動装置７３ｂは、突起部７３が受動部２３ｒに差し込まれた状態で、図３Ｃに示すように、２組の突起部７３を左右方向ＤＣＤに沿って互いに離れる方向に移動させる。これにより、２つの可とう板２３が左右方向ＤＣＤに沿って互いに反対方向に移動し、下開口部１２が開放する。
【００３５】
巻取装置７６は、可とう板２３の移動に連動して巻取部５を回転させる。巻取部５は、回転すると可とう板２３の移動に従ってシート状部材４０を巻き取る。
【００３６】
シート状部材４０の端部４１は、かご本体１の内面に固定されているため、巻取部５によりシート状部材４０が巻き取られても、シート状部材４０に載った商品５０２は移動せず、シート状部材４０の内部空間５０１ａに面する上面に載ったままで配置が保たれる。これにより、商品５０２の配置を保ったまま、買い物かご５０１の底部２を移動させることができ、かご本体１の下開口部１２を開放させることができる。
【００３７】
この後、ユーザーは、買い物かご５０１を底部駆動装置７から取り除く。これにより、収容容器５０３の収容口５０３ｂ内に商品５０２が残され、この後、収容口５０３ｂを上方に移動させる。これにより、商品５０２は、買い物袋等の収容容器５０３の内部空間５０３ａに収納される。
【００３８】
（１−２）効果
以上説明したように、本実施形態の買い物かご５０１は、上開口部１１および下開口部１２が形成されたかご本体１と、下開口部１２を開閉可能にかご本体１に取り付けられた底部２とを備える。下開口部１２は商品５０２が通過可能に形成されている。底部２が前記下開口部１２を閉じると、かご本体１と前記底部２とで囲まれた内部空間５０１ａに商品５０２が収容可能となる。また、買い物かご５０１は、底部２が下開口部１２を開放すると、下開口部１２を通して内部空間５０１ａから商品５０２を取り出しできるように構成されている。この構成によれば、下開口部１２を開くことで、内部空間５０１に収容された商品５０２は、下開口部１２を通して、買い物かご５０１の外側に取り出すことができる。これにより、ユーザーは、買い物かご５０１に収容された商品５０２を買い物袋等の収容容器５０３に移し替える際に、商品５０２を１つずつ買い物かご５０１から取り出す手間を省くことができる。
【００３９】
また、本実施形態のように、底部２は、かご本体１に対して横方向ＤＬに移動可能に構成されていることが好ましい。この構成によれば、下開口部１２を開放させるために、かご本体１を置いた状態で底部２を移動させることができ、ユーザーはかご本体１を上方に持ち上げなくてもよい。
【００４０】
また、本実施形態のように、底部２は、かご本体１に対してスライド可能な板体２２を有していることが好ましい。この構成によれば、簡単な構成で底部２を開閉自在にすることができる。
【００４１】
また、本実施形態のように、かご本体１は、板体２２の移動をガイドするガイドレール３を有することが好ましい。この構成によれば、板体２２をスムーズに移動させることができ、下開口部１２をスムーズに開閉することができる。
【００４２】
また、本実施形態のように、下開口部１２が開放されるときに、底部２に置かれた商品５０２の配置を保つように構成された配置維持部４をさらに備えていることが好ましい。この構成によれば、買い物かご５０１の内部空間５０１ａに収容された商品５０２の配置を保ったまま、買い物かご５０１の下開口部１２を通して、商品５０２を買い物かご５０１の外側に取り出すことができる。この結果、買い物かご５０１内の商品５０２の配置を保ったまま、買い物袋等の収容容器５０３に商品５０２を移し替えることが可能となる。
【００４３】
配置維持部４は、端部４１とこの反対側に位置する端部４２とを有するシート状部材４０を有していることが好ましい。シート状部材４０は、端部４１から端部４２に向かって板体２２の上面１２２と下面２２２とにこの順に沿うように配置されている。端部４１はかご本体１に固定されている。この構成によれば、簡単な構成で配置維持部４を実現することができる。
【００４４】
（１−３）変形例１
図４Ａと図４Ｂは実施形態１における他の買い物かご５１１の断面図である。図４Ａと図４Ｂにおいて、図１から図３Ｄに示す買い物かご５０１と同じ部分には同じ参照番号を付す。
【００４５】
買い物かご５１１は、かご本体１ａと、底部２ａとを備えている。
【００４６】
かご本体１ａは、買い物かご５１１の主体を構成し、商品を収容可能に形成されている。かご本体１ａは、底部２ａの周囲を囲んでおり、かご本体１ａと底部２ａとで買い物かご５１１の内部空間５１１ａを形成する。かご本体１ａは図１から図３Ｄに示す買い物かご５０１のかご本体１と同様の材料よりなる。
【００４７】
周壁１３ａは、かご本体１ａの外郭を形成する。周壁１３ａは、互いに対向する２つの側壁１４ａと、互いに対向する２つの側壁１７ａとを備え、平面視すなわち上方から見て左右方向ＤＣＤに細長く延びる矩形枠形状を有する。２つの側壁１４ａは左右方向ＤＣＤで互いに離れている。２つの側壁１７ａは前後方向ＤＡＢで互いに離れている。左方向ＤＣに位置する側壁１４ａは２つの側壁１７ａの左方向ＤＣの端部の間に架け渡されており、右方向ＤＤに位置する側壁１４ａは２つの側壁１７ａの右方向ＤＤの端部の間に架け渡されている。
【００４８】
買い物かご５１１は、図１から図３Ｄに示す買い物かご５０１の底部２を構成する板体２２の代わりに、底部２ａを構成する板体２２ａを備える。図１から図３Ｄに示す買い物かご５０１では、底部２を構成する板体２２は２つの可とう板２３により構成されている。買い物かご５１１の板体２２ａは１つの板状部材により構成されている。
【００４９】
かご本体１ａの周壁１３ａのうちの右方向ＤＤに位置する側壁１４ａには、板体２２ａを差し込むための挿入スリット１８が設けられている。２つの側壁１７ａには一対一で対応するように２つのガイドレール３ａが設けられている。ガイドレール３ａには板体２２ａがスライドする溝３ｇが形成されている。
【００５０】
板体２２ａは、挿入スリット１８に挿入されると２つのガイドレール３ａに支持されてガイドされたがら左右方向ＤＣＤに移動できる。これにより、板体２２ａは、下開口部１２ａを開閉可能にかご本体１ａに取り付けられる。
【００５１】
買い物かご５１１は、買い物かご５０１と同様に、底部２ａが下開口部１２ａを開放するときに、底部２ａに載せられた商品の配置を保つ配置維持部４ａを備える。配置維持部４ａは、挿入スリット１８が設けられた右方向ＤＤの側壁１４ａに固定されている端部４１ａと、端部４１ａの反対の端部４２ａとを有するシート形状を有する。板体２２ａは、上面１２２ａと、下面２２２ａと、上面１２２ａと下面２２２ａとに繋がり左方向ＤＣに位置する先端３２２ａとを有する。配置維持部４ａは、端部４１ａから端部４２ａに向かって、板体２２ａの上面１２２ａと先端３２２ａと下面２２２ａにこの順に沿って延びる。配置維持部４ａの端部４２ａは挿入スリット１８を介してかご本体１ａの外側に取り出されている。
【００５２】
買い物かご５１１は、板体２２ａで下開口部１２ａを閉じた図４Ａに示す状態において、配置維持部４ａの端部４２ａを右方向ＤＤに引っ張ると、配置維持部４ａが移動すると同時に板体２２ａも下開口部１２ａが開く右方向ＤＤに移動する。これにより、買い物かご５１１の下開口部１２ａが開放し、内部空間５０１ａに収容された商品を、その配置を保ったままで、下開口部１２ａを通して取り出すことができる。
【００５３】
（１−４）変形例２
図５は実施形態１における変形例２の買い物かご５５１の上面図である。図６は図５に示す買い物かご５５１の線ＶＩ−ＶＩにおける断面図である。図７は図５に示す買い物かご５５１の線ＶＩＩ−ＶＩＩにおける断面図である。図８は図５に示す買い物かご５５１の線ＶＩＩＩ−ＶＩＩＩにおける断面図である。図５から図８において、図４Ａと図４Ｂに示す買い物かご５１１と同じ部分には同じ参照番号を付す。買い物かご５５１は、図４Ａと図４Ｂに示す買い物かご５１１の板体２２ａの代わりに板体２０１を備え、配置維持部４ａを備えていない。すなわち、板体２０１の上面が商品に直接当接する。板体２０１は、下開口部１２ａを塞ぐことができて、かつかご本体１に対して引き抜き方向Ｄ５０１にスライドすることで下開口部１２ａを開放するように移動するように構成されている。
【００５４】
かご本体１ａの２つの側壁１４ａは、側壁１１４ａと、内部空間５０１ａを挟んで反対側に位置する側壁１１４ｂとを含む。２つの側壁１７ａは、側壁１１４ａの両端の一方から側壁１１４ｂの両端の一方まで延びる側壁１１７ａと、側壁１１４ａの両端の他方から側壁１１４ｂの両端の他方まで延びる側壁１１７ｂとを含む、側壁１１７ｂは、内部空間５０１ａを挟んで側壁１１７ａの反対側に位置する。側壁１１４ａには、板体２０１が挿入された挿入スリット１８が設けられている。図４Ａと図４Ｂに示す買い物かご５１１と同様に、側壁１１７ａ、１１７ｂには溝３ｇがそれぞれ設けられており、板体２２ａが引き抜き方向Ｄ５０１に溝３ｇに沿ってスライドして移動する。側壁１１４ｂには、板体２０１が下開口部１２ａを塞いだときに板体２０１の外縁２２０１が嵌まり込む溝１１４ｇが設けられている。図７に示すように、溝１１４ｇは、側壁１１７ａ、１１７ｂに設けられた溝３ｇと同様に、側壁１１４ｂの内部空間５０１ａに面する内面に設けられた上片４４４ａと下片４４４ｂとを有するガイドレール４４４で構成されている。溝１１４ｇは上片４４４ａと下片４４４ｂとの間に形成されている。買い物かご５５１では、溝１１４ｇは２つの溝３ｇに繋がっているが、２つの溝３ｇから離れていてもよい。
【００５５】
図９は板体２０１の上面図である。図５と図９に示すように、板体２０１は、側壁１１４ｂに対向する外縁２２０１と、外縁１２０１の反対側の位置する外縁１２０１と、側壁１１７ａに対向してかつ外縁１２０１、２２０１に繋がる外縁３２０１と、側壁１１７ｂに対向してかつ外縁１２０１、２２０１に繋がる外縁４２０１とを有する。外縁１２０１はかご本体１の外部に面する。
【００５６】
図９に示すように、板体２０１は、引き抜き方向Ｄ５０１の端部領域２０１ｐと、端部領域２０１ｐと反対側の端部領域２０１ｑと、端部領域２０１ｐ、２０１ｑの間に位置して端部領域２０１ｐ、２０１ｑに繋がる中央領域２０１ｒとを有する。端部領域２０１ｐは外縁１２０１を含み、端部領域２０１ｑは外縁２２０１を含む。
【００５７】
図８に示すように、板体２０１は、板形状を有する基板部２０１ｓと、基板部２０１ｓの下面から突出するリブ２０１ｔとを有する。
【００５８】
買い物かご５５１に入れる商品が重いと板体２０１が撓み、板体２０１の外縁３２０１、４２０１が溝３ｇに押し付けられる。この状態では、板体２０１が溝３ｇを滑らかにスライドできない場合がある。板体２０１の剛性を大きくして撓みにくくするために板体２０１の厚みを増やすと買い物かご５５１が重くなる。
【００５９】
買い物かご５５１では、少なくとも端部領域２０１ｑにおいて、基板部の上下方向の厚さは外縁２２０１に近づくにつれて大きくなる。もしくは、少なくとも中央領域２０１ｒと端部領域２０１ｑとにおいて、基板部２０１ｓの上下方向の厚さは外縁２２０１に近づくにつれて大きくなっていてもよい。もしくは、板体２０１全体において、基板部２０１ｓの上下方向の厚さは外縁２２０１に近づくにつれて大きくなっていてもよい。したがって、板体２０１の端部領域２０１ｑの上下方向の厚さの平均は、中央領域２０１ｒの上下方向の厚さの平均より大きくなる。この構成により、板体２０１の端部領域２０１ｑの剛性は、中央領域２０１ｒの剛性より大きくなる。板体２０１がスライドして下開口部１２ａが部分的に開放されている状態では、商品は中央領域２０１ｒではなく主に端部領域２０１ｑに載っている。したがって、板体２０１のうち端部領域２０１ｐや中央領域２０１ｒではなく、主に端部領域２０１ｑの剛性を大きくする。これにより、板体２０１ひいては買い物かご５５１の重量をあまり増加させることなく上記の撓みを効果的に低減することができ、板体２０１が溝３ｇを滑らかにスライドできる。
【００６０】
板体２０１は、基板部２０１ｓの上面から突出する複数のリブ２０１ｗをさらに有する。複数のリブ２０１ｗは前後方向ＤＡＢに配列されて、引き抜き方向Ｄ５０１すなわち左右方向ＤＣＤに細長く延びる。商品は内部空間５０１ａ内に収容されているときには板体２０１の上面に当接する。このとき、商品が気密性を有する袋に入っていたりさらに濡れていたりすると、板体２０１の上面に貼り付く場合がある。この場合に板体２０１が引き抜き方向Ｄ５０１に挿入スリット１８を通して移動すると、板体２０１の上面に貼り付いた商品が側壁１１４ａに押されても移動しにくくなって板体２０１を移動させにくくする。買い物かご５５１では、商品は複数のリブ２０１ｗの上端に当接して基板部２０１ｓから部分的に離れている。これにより商品が板体２０１の上面に接触する面積を少なくすることができ、板体２０１の上面には貼り付きにくくなる。これにより、板体２０１が引き抜き方向Ｄ５０１に挿入スリット１８を通して移動して商品が側壁１１４ａに押されると商品が容易に移動でき、板体２０１を滑らかに移動させることができる。
【００６１】
商品がはがき等の薄い商品である場合、板体２０１を引き抜き方向Ｄ５０１へ挿入スリット１８を通して移動させると、商品が挿入スリット１８の上内縁と板体２０１の上面との間に形成される隙間から内部空間５０１ａの外部に出てしまい、下開口部１２ａを通して収容容器に移すことができなくなる不具合が発生する場合がある。買い物かご５５１はこの不具合を以下の構成で防止する。
【００６２】
図１０は図６に示す買い物かご５５１の部分ＡＡを示す拡大図であり、かご本体１ａの側壁１１４ａに設けられた挿入スリット１８と、挿入スリット１８に挿入されている板体２０１とを示す。かご本体１ａの挿入スリット１８は、板体２０１の基板部２０１ｓの上面に対向する上内縁１８ａと、板体２０１の下面に対向する下内縁１８ｂとを有する。かご本体１ａは、挿入スリット１８の上内縁１８ａから下方向ＤＦに突出する複数の突起１８ｔを有する。複数の突起１８ｔは、板体２０１が下開口部１２ａを開放しながら挿入スリット１８を通して引き抜き方向Ｄ５０１に移動する際に複数のリブ２０１ｗの間に配置されるように構成されている。実施の形態１では、複数のリブ２０１ｗは複数の突起１８ｔと交互に配置されている。複数の突起１８ｔのうちのいくつかの突起１８ｔは複数のリブ２０１ｗのうちの互いに隣り合う２つのリブ２０１ｗの間に配置されていてもよい。もしくは、複数のリブ２０１ｗのうちのいくつかのリブ２０１ｗは複数の突起１８ｔのうちの互いに隣り合う２つの突起１８ｔの間に配置されていてもよい。その際に、複数の突起１８ｔは、基板部２０１ｓの上面に平行でかつ引き抜き方向Ｄ５０１に直角の方向（前後方向ＤＡＢ）において複数のリブ１８ｔと部分的に重なっている。この構成により、板体２０１の上面すなわちリブ２０１ｗの上端に載っている商品が薄い場合でも、板体２０１が引き抜き方向Ｄ５０１に移動する際にその商品が複数の突起１８ｔの少なくとも１つに当たり、挿入スリット１８から内部空間５０１ａの外部に出ることを防ぐことができる。実施の形態１では、前後方向ＤＡＢから見て、複数の突起１８ｔと複数のリブ２０１ｗは上下方向ＤＥＦの幅Ｌ１１６だけ重なっている。板体２０１の基板部２０１ｓの上面と挿入スリット１８の上内縁１８ａとの上下方向ＤＥＦの間隔Ｌ１１５は幅Ｌ１１６より大きい。複数の突起１８ｔの下端は、板体２０１の基部２０１ｓの上面から離れている。
【００６３】
板体２０１のかご本体１ａの側壁１１４ｂに対向する外縁２２０１は引き抜き方向Ｄ５０１（右方向ＤＤ）に最深点２２０１ｄまで深さＬ２２０１だけ凹んでいる。すなわち、前後方向ＤＡＢの板体２０１の両端から最深点２２０１ｄまでの左右方向ＤＣＤにおける距離は深さＬ２２０１である。深さＬ２２０１は、板体２０１が下開口部１２ａを閉じているときに外縁２２０１が入り込む溝１１４ｇの左右方向ＤＣＤの深さより小さい。
【００６４】
板体２０１の外縁２２０１が両端間で直線形状を有する場合、板体２０１が上下方向ＤＥＦに反っていると、下開口部１２ａを閉じるべく板体２０１を溝３ｇに沿って左方向ＤＣに移動させても側壁１１４ｂに設けられた溝１１４ｇに板体２０１の外縁２２０１が入らなくなって下開口部１２ａが板体２０１で完全には閉じられなくなる場合がある。買い物かご５５１では、板体２０１が上下方向ＤＥＦに多少反っていても、溝１１４ｇに入り込む板体２０１の外縁２２０１が右方向ＤＤに凹んでいることにより、板体２０１の外縁２２０１がその両端から溝１１４ｇにガイドされて確実に挿入される。これにより、板体２０１が上下方向ＤＥＦに反っていても下開口部１２ａを確実に閉じることができる。なお、実施の形態１における買い物かご５５１では、板体２０１の外縁２２０１の両端のそれぞれから最深点２２０１ｄまで直線状に延びており、最深点２２０１ｄは前後方向ＤＡＢにおいて外縁２２０１の中央に位置する。すなわち、上下方向ＤＥＦから見て、板体２０１の外縁２２０１、３２０１、４２０１はＭ字形状を形成する。板体２０１の外縁２２０１の両端のそれぞれから最深点２２０１ｄまでの範囲で、板体２０１の外縁２２０１の両端のそれぞれから最深点２２０１ｄまで曲がって延びていてもよい。
【００６５】
図６と図８に示すように、側壁１１４ａ、１１４ｂ、１１７ａ、１１７ｂには複数の貫通孔２９１が設けられている。実施の形態１における買い物かご５５１では、貫通孔２９１は２ｍｍ〜５ｍｍの径を有する円形状を有する。これにより、買い物かご５５１を軽量化することができ、かつ内部空間５０１ａに収容された商品が小さくても貫通孔２９１から出ることを防止できる。なお、買い物かご５０１、５１１でも、側壁１４、１４ａ、１７、１７ａに複数の貫通孔２９１が設けられてもよく、同様の効果を有する。
【００６６】
次に、板体２０１が下開口部１２ａを閉じているときに、板体２０１をかご本体１ａにロックする構造について説明する。板体２０１の一部をかご本体１ａに引っ掛けてロックする場合、ロックを解除する煩雑な構造が底部駆動装置に必要になる。実施の形態１における買い物かご５５１では、板体２０１はマグネットの磁力でかご本体１ａにロックされる。
【００６７】
図１１は、図８に示す買い物かご５５１の部分ＢＢを示す拡大図である。図１２は図１１に示す買い物かご５５１の線ＸＶＩＩ−ＸＶＩＩにおける断面図である。板体２０１は、外縁１２０１から下方向ＤＦに延びる側壁１２０１ａを有する。買い物かご５５１は、板体２０１の側壁１２０１ａ内に埋め込まれたヨーク６１２と、側壁１２０１ａ内に埋め込まれたマグネット６１１と、かご本体１ａに埋め込まれたヨーク６１３とを備える。マグネット６１１は、ヨーク６１２から左方向ＤＣに位置してヨーク６１２に当接する面６１１ａと、面６１１ａの反対側の面６１１ｂとを有する。マグネット６１１の面６１１ｂは左方向ＤＣに露出する。ヨーク６１３は、かご本体１ａの挿入スリット１８の下内縁１８ｂより下方向ＤＦに位置する。ヨーク６１３は右方向ＤＤに露出する面６１３ａを有する。板体２０１が下開口部１２ａを完全に閉じているときに、マグネット６１１の面６１１ｂはヨーク６１３の面６１３ａに当接して、マグネット６１１の磁力でヨーク６１３に固定されることで板体２０１をかご本体１ａにロックする。
【００６８】
図１２に示すように、マグネット６１１は前後方向ＤＡＢで分極して、前後方向ＤＡＢに配列されて互いに反対の極性を有する磁極６１１ｐ、６１１ｑを有する。マグネット６１１の面６１１ｂがヨーク６１３の面６１３ａに当接している状態で、磁極６１１ｐ、６１１ｑのうちの一方から出た磁束はヨーク６１２、６１３を通って磁極６１１ｐ、６１１ｑのうちの他方に入り、閉磁路を構成してヨーク６１２、６１３から実質的に出ない。これにより、マグネット６１１はヨーク６１３に強固に固定され、板体２０１はかご本体１ａに強固にロックされて、使用者の買い物途中に板体２０１が誤って下開口部１２ａを開放することを防ぐことができる。この磁束はヨーク６１２、６１３から実質的に漏れないので、内部空間５０１ａ内の商品に磁気的な影響を与えることを防止できる。
【００６９】
図１３Ａは、図６に示す買い物かご５５１の部分ＣＣの拡大図である。図１２と図１３Ａに示すように、側壁１１４ａの下端と挿入スリット１８の下内縁１８ｂとの間には凹部２１１４ａが設けられている。凹部２１１４ａからは板体２０１の側壁１２０１ａが露出する。板体２０１が下開口部１２ａを完全に閉じている状態で、マグネット６１１がヨーク６１３の面６１３ａに当接する。底部駆動装置は、凹部２１１４ａに下方から入って板体２０１の側壁１２０１ａを引っ掛けて右方向ＤＤに付勢する爪を有する。凹部２１１４ａの前後方向ＤＡＢの長さＷ１１は、底部駆動装置の上記爪の前後方向ＤＡＢでの幅より大きく、指の幅より小さい。これにより、凹部２１１４ａに下方から指を入れて板体２０１の側壁１２０１ａに指をかけることが困難になり、かご本体１ａにロックしている板体２０１を指で右方向ＤＤに移動させて下開口部１２ａを開けにくくすることができる。
【００７０】
ヨーク６１２、６１３は磁性体金属よりなり、大きい強度を有する。図１１に示すように、板体２０に埋め込まれたヨーク６１２は板体２０１の側壁１２０１ａから基板部２０１ｓまで延びる。したがって、大きい強度を有するヨーク６１２が側壁１２０１ａから基板部２１１ｓに亘って延びているので、側壁１２０１ａが強固に基板部２０１ｓに繋がり、かつ側壁１２０１ａ自体の強度を大きくすることができる。図１２に示すように、かご本体１ａに埋め込まれたヨーク６１３は、側壁１１４ａの凹部２１１４ａの両側の部分の一方から他方まで凹部２１１４ａを通過して延びる。これにより、側壁１１４ａのうちの凹部２１１４ａにより薄くなっている部分の強度を大きくすることができる。このように、ヨーク６１２、６１３により買い物かご５５１の強度を大きくすることができる。
【００７１】
図１３Ｂは実施形態１におけるさらに他の買い物かご５６１の部分拡大図である。図１３Ｂにおいて、図５から図１３Ａに示す買い物かご５５１と同じ部分には同じ参照番号を付す。図１３Ｂに示す買い物かご５６１は、図５から図１３Ａに示す買い物かご５５１とは、かご本体１ａが板体２０１に結合する構造が異なる。図１３Ｂはその構造を示す。図５から図１３Ａに示す買い物かご５５１では、かご本体１ａの側壁１１４ｂには板体２０１の外縁２２０１が挿入される溝１１４ｇが設けられて、かご本体１ａの側壁１１７ａ、１１７ｂには板体２０１の外縁３２０１、４２０１が挿入される溝３ｇが設けられている。図１３Ｂに示す買い物かご５６１では、かご本体１ａの側壁１１４ｂに突起１１４ｔが設けられ、側壁１１７ａ、１１７ｂに突起３ｔが設けられている。板体２０１の外縁２２０１にはかご本体１ａの側壁１１４ｂの突起１１４ｔが挿入される溝２２０１ｇが設けられており、板体２０１の外縁３２０１、４２０１にはかご本体１ａの側壁１１７ａ、１１７ｂの突起３ｔが挿入される溝３２０１ｇ、４２０１ｇがそれぞれ設けられている。この構造により、図５に示す買い物かご５５１と同様にかご本体１ａが板体２０１に結合して同様の効果が得られる。
【００７２】
店舗では、使用しないときに複数の買い物かごのうちの上方に位置する買い物かごが下方に位置する買い物かごの内部空間に収容されて、それらが積まれる。積まれる買い物かごの数を多くするためには、側壁が底部に対して直角より大きい角度を成す方がよい。一方、買い物かごの上開口部１１から入れた商品を下開口部１２ａから取り出すためには、下開口部１２ａの大きさが上開口部１１に近い方がよく、すなわち、側壁が底部と直角に近い角度を成す方がよい。このように、下開口部１２ａからの商品を取り出しやすくすると、積むことできる買い物かごが少なくなる。したがって、下開口部１２ａからの商品を取り出しやすくして、積むことできる買い物かごを多くするように、側壁と板体の角度を最適に設定する。
【００７３】
図１から図３Ｄに示す買い物かご５０１では、側壁１４内に板体２２が収容されるので、側壁１４を薄くしにくい。かつ板体２２を滑らかに側壁１４内に収容するために、底部と側壁は滑らかな曲面でつなぐので、側壁の形状や角度がある程度制限され、側壁と板体の角度を最適に設定できない場合がある。図４Ａから図１３Ｂに示す買い物かご５１１、５５１、５６１では、側壁１４ａ、１７ａ内には何も収容されず、底部（板体２０１）と成す角度を任意に設定できる。したがって、下開口部１２ａからの商品を取り出しやすくして、積むことできる買い物かごを多くするように、側壁と板体の角度を最適に設定できる。
【００７４】
（２）実施形態２
図１４Ａから図１４Ｃは実施形態２における買い物かご５２１の斜視図である。図１４Ｄは図１４Ｂに示す買い物かご５２１の部分拡大図である。図１５Ａから図１５Ｃは実施形態２における買い物かご５２１の側面図である。図１４Ａから図１５Ｃにおいて、図１から図３Ｄに示す買い物かご５０１と同じ部分には同じ参照番号を付す。
【００７５】
（２−１）詳細
実施形態２における買い物かご５２１は、図１４Ａに示すように、図１から図３Ｄに示す買い物かご５０１の底部２の代わりに、かご本体１の下開口部１２を開閉可能に構成された底部２ｂを備えている。
【００７６】
底部２ｂは、２つの回転体２５ａ、２５ｂと、２つの回転体２５ａ、２５ｂを連動して動作させる連動機構部８とを備えている。
【００７７】
回転体２５ａは、図１５Ａに示すように、複数の分割体２６ａ、２６ｂに分割されている。複数の分割体２６ａ、２６ｂは、軸部１９１を介してかご本体１に連結されている。軸部１９１は軸９１、９２を有する。回転体２５ａを構成する複数の分割体２６ａ、２６ｂは、軸部１９１の軸９１で連結されている。分割体２６ａ、２６ｂは、軸９１周りに回転可能に構成されている。
【００７８】
回転体２５ｂは、図１５Ａに示すように、複数の分割体２６ｃ、２６ｄに分割されている。複数の分割体２６ｃ、２６ｄは、軸部１９１を介してかご本体１に連結されている。回転体２５ｂを構成する複数の分割体２６ｃ、２６ｄは、軸部１９１の軸９２で連結されている。分割体２６ｃ、２６ｄは、軸９２周りに回転可能に構成されている。
【００７９】
軸９１は、回転体２５ａ、２５ｂが下開口部１２を閉じた状態で、回転体２５ａにおける後方向ＤＢの端縁に沿った位置、すなわち、回転体２５ａにおける回転体２５ｂに対向する端部に設けられている。また、軸９２は、回転体２５ｂにおける前方向ＤＡの端縁に沿った位置、すなわち、回転体２５ｂにおける回転体２５ａに対向する端部に設けられている。ここでいう「端部」とは、前後方向ＤＡＢでの所定の幅を有する領域である。回転体２５ａ、２５ｂが回転したときに、回転体２５ａ、２５ｂの下端部が実質的に横方向ＤＬに移動する。
【００８０】
分割体２６ａ、２６ｂのそれぞれは、円弧形状を有する下面を有する底板２７ａと、底板２７ａの前後方向ＤＡＢの両端部から上方向ＤＥにそれぞれ立ち上がる２つの立上板２８ａとを有している。底板２７ａの外面は、軸９１を中心とする円弧形状を有する。立上板２８ａは、底板２７ａから軸９１に向かうにつれて幅が狭くなる扇形状を有する。分割体２６ｃ、２６ｄのそれぞれは、円弧形状を有する下面を有する底板２７ｂと、底板２７ｂの前後方向ＤＡＢの両端部から上方向ＤＥにそれぞれ立ち上がる２つの立上板２８ｂとを有している。底板２７ｂの外面は、軸９２を中心とする円弧形状を有する。立上板２８ｂは、底板２７ｂから軸９２に向かうにつれて幅が狭くなる扇形状を有する。
【００８１】
分割体２６ｂは、底部２ｂが下開口部１２を閉じた状態では、分割体２６ａよりも下方に配置される。分割体２６ａの底板２７ａの前後方向ＤＡＢの長さは、分割体２６ａの底板２７ａの前後方向ＤＡＢの長さよりも小さい。また、分割体２６ａの立上板２８ａの長さは、分割体２６ａの立上板２８ａの長さよりも小さい。これにより、分割体２６ｂが回転して上方向ＤＥに移動すると、分割体２６ａの分割体２６ｂに重なった部分が増大してゆき、分割体２６ａは分割体２６ｂの内側に入り込む、すなわち分割体２６ｂと内部空間５０１ａの間に位置する。分割体２６ｂは、底部２ｂが下開口部１２を閉じた状態では、分割体２６ａよりも下方に配置される。同様に、分割体２６ｃの底板２７ｂの前後方向ＤＡＢの長さは、分割体２６ｃの底板２７ｂの前後方向ＤＡＢの長さよりも小さい。また、分割体２６ｃの立上板２８ｂの長さは、分割体２６ｃの立上板２８ｂの長さよりも小さい。これにより、分割体２６ｄが回転して上方向ＤＥに移動すると、分割体２６ｃの分割体２６ｄに重なった部分が増大してゆき、分割体２６ｃは分割体２６ｄの内側に入り込む、すなわち分割体２６ｄと内部空間５０１ａの間に位置する。これにより、下開口部１２が開放する。
【００８２】
連動機構部８は、分割体２６ａ、２６ｃの立上板２８ａ、２８ｂの上端のそれぞれに設けられたギア部８１ａと、分割体２６ｂ、２６ｄの立上板２８ａ、２８ｂの上端のそれぞれに設けられたギア部８１ｂと、ギア部８１ａ、８１ｂを収容するケース８３とを備えている。回転体２５ａのギア部８１ａ、８１ｂと、回転体２５ｂのギア部８１ａ、８１ｂとは、それぞれ互いに噛み合うように構成されており、互いに異なる方向に同期して回転するように構成されている。具体的には、回転体２５ａの分割体２６ａのギア部８１ａと、回転体２５ｂの分割体２６ｃのギア部８１ａとが噛み合って互いに異なる方向に同期して回転するように構成されている。また、回転体２５ａの分割体２６ｃのギア部８１ｂと、回転体２５ｂの分割体２６ｄのギア部８１ｂとが噛み合って互いに異なる方向に同期して回転するように構成されている。
【００８３】
図１４Ｄに示すように、分割体２６ｂの前後方向ＤＡＢの内部空間５０１ａに面する端縁には、内部空間５０１ａに向かって突出する引掛け突起８２が設けられている。引掛け突起８２は、下開口部１２を開放するように分割体２６ｂを上方向ＤＥに移動させると、分割体２６ａに当たり、これにより、分割体２６ａを分割体２６ｂの動作に追従させて移動させる。同様に、分割体２６ｄの前後方向ＤＡＢの内部空間５０１ａに面する端縁には、引掛け突起８２と同様の内部空間５０１ａに向かって突出する引掛け突起が設けられている。この引掛け突起は、下開口部１２を開放するように分割体２６ｄを上方向ＤＥに移動させると、分割体２６ｃに当たり、これにより、分割体２６ｃを分割体２６ｂの動作に追従させて移動させる。
【００８４】
また、回転体２５ａ、２５ｂで下開口部１２を閉じた状態における回転体２５ａと回転体２５ｂとの下端部には、脚部２９ａ、２９ｂがそれぞれ設けられている。脚部２９ａ、２９ｂは、回転体２５ａ、２５ｂで下開口部１２を閉じた状態において脚部２９を構成する。買い物かご５２１を載置面７１ａに載せた場合に、脚部２９が載置面７１ａに載るように構成されている。これにより、買い物かご５２１は安定して載置面７１ａに支持される。
【００８５】
また、脚部２９は、図１５Ｃに示すように、下開口部１２を開放した状態において、かご本体１の下開口部１２の周縁部に当たって回転体２５ａ、２５ｂの上方向ＤＥへの回転を防止するように構成された回り止め部としての機能も有する。したがって、買い物かご５２１は、回転体２５ａ、２５ｂが勢いよく下開口部１２を開放するように移動しても、回転体２５ａ、２５ｂが軸部１９１周りに回転して、かご本体１の内部で過剰に回転してしまうのを防ぐことができる。
【００８６】
本実施形態の買い物かご５２１の内部空間５０１ａに商品を収容し、載置面７１ａに載せられた状態で、一対の回転体２５ａ、２５ｂを互いに離れる方向に回転すると、買い物かご５２１はその自重により、分割体２６ａ、２６ｂが開く方向に回転し、引掛け突起８２が分割体２６ａ、２６ｃの前後方向の中央側の縁に当たる。さらに分割体２６ｂ、２６ｄが互いに離れて開く方向に回転すると、これに追従して、分割体２６ａ、２６ｃが互いに離れて開く方向に回転し、下開口部１２を開放させる。
【００８７】
軸９１、９２は、前後方向ＤＡＢの中央側に沿って設けられている。このため、一対の回転体２５ａ、２５ｂの下端部は、横方向ＤＬに移動する。この結果、本実施形態の買い物かご５２１は、かご本体１を持ち上げなくても、回転体２５ａ、２５ｂを開く方向に移動させることができる。
【００８８】
（２−２）効果
本実施形態の買い物かご５２１では、底部２ｂは、商品を載せることができる一対の回転体２５ａ、２５ｂを有している。一対の回転体２５ａ、２５ｂは、かご本体１に対して軸部周りの互いに異なる方向に回転可能に構成されている。この構成によれば、一対の回転体２５ａ、２５ｂを開くときに、買い物かご５２１の自重を利用して回転体２５ａ、２５ｂを開く方向に移動させることができる。
【００８９】
本実施形態における買い物かご５２１では、底部２ｂは、軸９１に軸支された回転体２５ａと、軸９２に軸支された回転体２５ｂとを有する。２つの回転体２５ａ、２５ｂが下開口部１２を閉じた状態において、軸９１は、回転体２５ａにおける回転体２５ｂに対向する端部に設けられ、軸９２は、回転体２５ｂにおける回転体２５ａに対向する端部に設けられている。この構成によれば、回転体２５ａ、２５ｂが開く方向に移動しても、回転体２５ａ、２５ｂが横方向ＤＬに移動するため、かご本体１を上方に持ち上げる作業を省くことができる。
【００９０】
また、本実施形態における買い物かご５２１では、回転体２５ａは、複数の分割体２６ａ、２６ｂに分割されており、回転体２５ｂは、複数の分割体２６ｃ、２６ｄに分割されている。回転体２５ａ、２５ｂが互いに離れる方向に回転すると、複数の分割体２６ａ、２６ｂは互いに重なり合いながら下開口部１２を開放させ、複数の分割体２６ｃ、２６ｄは互いに重なり合いながら下開口部１２を開放させるように構成される。この構成によれば、２つの回転体２５ａ、２５ｂが開く方向に回転しても、分割体２６ａ、２６ｂが重なり合いながら上方向ＤＥに移動しかつ分割体２６ｃ、２６ｄが重なり合いながら上方向ＤＥに移動するため、分割体２６ａ〜２６ｄをかご本体１に好適に収納することができる。
【００９１】
また、本実施形態における買い物かご５２１では、２つの回転体２５ａ、２５ｂは互いに異なる方向に同期して回転するように構成されている。この構成によれば、２つの回転体２５ａ、２５ｂのうちの一方の回転体のみを動作させるだけで、２つの回転体２５ａ、２５ｂを開閉させることができる。
【００９２】
（２−３）変形例
図１６Ａは、実施形態２における他の買い物かご５３１の断面図である。図１６Ａにおいて、図１４Ａから図１５Ｃに示す買い物かご５２１と同じ部分には同じ参照番号を付す。買い物かご５３１は、図１４Ａから図１５Ｃに示す買い物かご５２１の底部２ｂと軸９１、９２の代わりに底部２ｃと軸９ｃとを備える。
【００９３】
図１４Ａから図１５Ｃに示す買い物かご５２１では、軸９１、９２が、前後方向ＤＡＢの中央に配置されている。
【００９４】
図１６Ａに示す買い物かご５３１では、底部２ｃは、Ｌ字形状を有する断面をそれぞれ有する２つの回転体２５ｃを備えている。２つの回転体２５ｃは、かご本体１の２つの側壁１４の上端部に固定された軸９ｃをそれぞれ介して、回転自在にかご本体１に取り付けられている。２つの回転体２５ｃは、互いに異なる方向に回転することで、かご本体１の下開口部１２を開放させることができる。
【００９５】
図１４Ａから図１５Ｃに示す買い物かご５２１では、軸９１、９２が、前後方向ＤＡＢの中央に配置されている。図１６Ａに示す買い物かご５３１では、軸９ｃは、側壁１４の上端部に固定されている。
【００９６】
図１６Ｂは、実施形態２におけるさらに他の買い物かご５４１の断面図である。図１６Ｂにおいて、図１６Ａに示す買い物かご５３１と同じ部分には同じ参照番号を付す。買い物かご５４１では、軸９ｃは側壁１４の上下方向ＤＥＦの中間部に設けられている。
【００９７】
（３）応用
実施形態１における買い物かご５０１では、底部駆動装置７により底部２を駆動する。ユーザーや店員等が、手動で、底部２を開閉させてもよい。
【００９８】
実施形態１における買い物かご５０１では、商品を移し替える収容容器は買い物袋であるが、収容容器は、例えば、箱であってもよく、ユーザーが所有するバッグであってもよい。
【００９９】
また、実施形態１、２における買い物かごは、手提げ型の買い物かごであったが、例えば、手押しして使用するカート型の買い物かごであってもよい。カート型の買い物かごとしては、例えば、複数のキャスターによって移動可能なカート本体にかご本体を一体に設け、かご本体の下開口部を開閉可能とするように底部を設ける態様が挙げられる。
【０１００】
実施形態１における買い物かご５０１は、配置維持部４備えているが、配置維持部４を備えていなくてもよく、また、巻取部５を備えていなくてもよい。この場合、板体２２に直接商品が載った状態で板体２２がスライドすることになる。この場合において、板体２２の上面１２２の摩擦係数をできる限り小さくするために、板体２２の上面１２２に微小な凹凸が形成されることが好ましい。
【０１０１】
実施形態１における買い物かご５０１では、底部駆動装置７の突起部７３が受動部２３ｒを保持する。受動部２３ｒは、例えば、板体２２の下面２２２や、板体２２の前後方向ＤＡＢの端部に設けられた孔により構成されてもよい。また、底部駆動装置７の構成は、本実施形態の構成でなくてもよい。
【０１０２】
実施形態２における買い物かご５２１は、軸部１９１は互いに離れている軸９１、９２を有しているが、軸９１、９２は一つの軸で共用されてもよい。
【０１０３】
実施形態２における買い物かごの回転体２５ａ、２５ｂでは、底板２７は円弧形状を有するが、平坦な形状を有していてもよい。
【０１０４】
実施の形態において、「上方向」「下方向」「上下方向」「横方向」「上開口部」「下開口部」等の方向を示す用語は、かご本体や底部等の買い物かごの構成部材の相対的な位置関係でのみで決まる相対的な方向を示し、鉛直方向等の絶対的な方向を示すものではない。
【符号の説明】
【０１０５】
１，１ａ    かご本体
２，２ｃ    底部
３    ガイドレール
３ｇ    溝（第２の溝、第３の溝）
４    配置維持部
１１    上開口部
１２，１２ａ    下開口部
１８    挿入スリット
１８ｔ    突起
２２    板体
２５ａ，２５ｂ    回転体
２６ａ〜２６ｄ    分割体
４０    シート状部材
９１    軸（第１の軸）
９２    軸（第２の軸）
１１４ａ    側壁（第１の側壁）
１１４ｂ    側壁（第２の側壁）
１１４ｇ    溝（第１の溝）
１１７ａ    側壁（第３の側壁）
１１７ｂ    側壁（第４の側壁）
２０１    板体
２０１ｐ    端部領域（第１の端部領域）
２０１ｑ    端部領域（第２の端部領域）
２０１ｒ    中央領域
２０１ｓ    基板部
２０１ｔ    リブ
２０１ｗ    リブ
Ｄ５０１    引き抜き方向
５０１ａ    前記内部空間
【図１】
2017094261.tif 000003
【図２Ａ】
2017094261.tif 000004
【図２Ｂ】
2017094261.tif 000005
【図３Ａ】
2017094261.tif 000006
【図３Ｂ】
2017094261.tif 000007
【図３Ｃ】
2017094261.tif 000008
【図３Ｄ】
2017094261.tif 000009
【図４Ａ】
2017094261.tif 000010
【図４Ｂ】
2017094261.tif 000011
【図５】
2017094261.tif 000012
【図６】
2017094261.tif 000013
【図７】
2017094261.tif 000014
【図８】
2017094261.tif 000015
【図９】
2017094261.tif 000016
【図１０】
2017094261.tif 000017
【図１１】
2017094261.tif 000018
【図１２】
2017094261.tif 000019
【図１３Ａ】
2017094261.tif 000020
【図１３Ｂ】
2017094261.tif 000021
【図１４Ａ】
2017094261.tif 000022
【図１４Ｂ】
2017094261.tif 000023
【図１４Ｃ】
2017094261.tif 000024
【図１４Ｄ】
2017094261.tif 000025
【図１５Ａ】
2017094261.tif 000026
【図１５Ｂ】
2017094261.tif 000027
【図１５Ｃ】
2017094261.tif 000028
【図１６Ａ】
2017094261.tif 000029
【図１６Ｂ】
2017094261.tif 000030
【手続補正書】
【提出日】平成30年6月13日(2018.6.13)
【手続補正１】
【補正対象書類名】明細書
【補正対象項目名】００３１
【補正方法】変更
【補正の内容】
【００３１】
買い物かご５０１の使用方法を以下に説明する。図３Ａから図３Ｄは買い物かご５０１の使用方法を説明する断面図である。ユーザーは、陳列された商品５０２を選び、図３Ａと図３Ｂに示すように、選んだ商品５０２を買い物かご５０１の底部２に載せて、商品５０２を買い物かご５０１の内部空間５０１ａに収容する。この後、ユーザーは、買い物かご５０１に収容された商品５０２の代金を支払い、精算する。ユーザーは、買い物かご５０１に収容された商品５０２を買い物かご５０１の内部空間５０１ａから買い物袋等の収容容器５０３の内部空間５０３ａ内に以下の方法で移し替える。収容容器５０３は内部空間５０３ａに連通する収容口５０３ｂを有する。本実施形態では、収容口５０３ｂは買い物袋の袋口である。
【手続補正２】
【補正対象書類名】明細書
【補正対象項目名】００３３
【補正方法】変更
【補正の内容】
【００３３】
底部駆動装置７は、本実施形態における買い物かご５０１の底部２を駆動し下開口部１２を開放するように構成されている。底部駆動装置７は、かご載置面７１と、かご載置面７１に載せられた買い物かご５０１の底部２を駆動する駆動部７３ａと、巻取部５を回転駆動させる巻取装置７６とを備える。駆動部７３ａは、かご載置面７１から上方に突出した４つの突起部７３と、４つの突起部７３を移動させる駆動装置７３ｂとを備えている。４つの突起部７３はそれぞれ２つの突起部７３を有する２組の突起部７３に分けられる。駆動装置７３ｂは２組の突起部７３を左右方向ＤＣＤに沿って互いに離れる方向に移動させる。
【手続補正３】
【補正対象書類名】明細書
【補正対象項目名】００５０
【補正方法】変更
【補正の内容】
【００５０】
板体２２ａは、挿入スリット１８に挿入されると２つのガイドレール３ａに支持されてガイドされながら左右方向ＤＣＤに移動できる。これにより、板体２２ａは、下開口部１２ａを開閉可能にかご本体１ａに取り付けられる。
【手続補正４】
【補正対象書類名】明細書
【補正対象項目名】００５４
【補正方法】変更
【補正の内容】
【００５４】
かご本体１ａの２つの側壁１４ａは、側壁１１４ａと、内部空間５０１ａを挟んで反対側に位置する側壁１１４ｂとを含む。２つの側壁１７ａは、側壁１１４ａの両端の一方から側壁１１４ｂの両端の一方まで延びる側壁１１７ａと、側壁１１４ａの両端の他方から側壁１１４ｂの両端の他方まで延びる側壁１１７ｂとを含む。側壁１１７ｂは、内部空間５０１ａを挟んで側壁１１７ａの反対側に位置する。側壁１１４ａには、板体２０１が挿入された挿入スリット１８が設けられている。図４Ａと図４Ｂに示す買い物かご５１１と同様に、側壁１１７ａ、１１７ｂには溝３ｇがそれぞれ設けられており、板体２２ａが引き抜き方向Ｄ５０１に溝３ｇに沿ってスライドして移動する。側壁１１４ｂには、板体２０１が下開口部１２ａを塞いだときに板体２０１の外縁２２０１が嵌まり込む溝１１４ｇが設けられている。図７に示すように、溝１１４ｇは、側壁１１７ａ、１１７ｂに設けられた溝３ｇと同様に、側壁１１４ｂの内部空間５０１ａに面する内面に設けられた上片４４４ａと下片４４４ｂとを有するガイドレール４４４で構成されている。溝１１４ｇは上片４４４ａと下片４４４ｂとの間に形成されている。買い物かご５５１では、溝１１４ｇは２つの溝３ｇに繋がっているが、２つの溝３ｇから離れていてもよい。
【手続補正５】
【補正対象書類名】明細書
【補正対象項目名】００５５
【補正方法】変更
【補正の内容】
【００５５】
図９は板体２０１の上面図である。図５と図９に示すように、板体２０１は、側壁１１４ｂに対向する外縁２２０１と、外縁２２０１の反対側の位置する外縁１２０１と、側壁１１７ａに対向してかつ外縁１２０１、２２０１に繋がる外縁３２０１と、側壁１１７ｂに対向してかつ外縁１２０１、２２０１に繋がる外縁４２０１とを有する。外縁１２０１はかご本体１の外部に面する。
【手続補正６】
【補正対象書類名】明細書
【補正対象項目名】００５９
【補正方法】変更
【補正の内容】
【００５９】
買い物かご５５１では、少なくとも端部領域２０１ｑにおいて、基板部２０１ｓの上下方向の厚さは外縁２２０１に近づくにつれて大きくなる。もしくは、少なくとも中央領域２０１ｒと端部領域２０１ｑとにおいて、基板部２０１ｓの上下方向の厚さは外縁２２０１に近づくにつれて大きくなっていてもよい。もしくは、板体２０１全体において、基板部２０１ｓの上下方向の厚さは外縁２２０１に近づくにつれて大きくなっていてもよい。したがって、板体２０１の端部領域２０１ｑの上下方向の厚さの平均は、中央領域２０１ｒの上下方向の厚さの平均より大きくなる。この構成により、板体２０１の端部領域２０１ｑの剛性は、中央領域２０１ｒの剛性より大きくなる。板体２０１がスライドして下開口部１２ａが部分的に開放されている状態では、商品は中央領域２０１ｒではなく主に端部領域２０１ｑに載っている。したがって、板体２０１のうち端部領域２０１ｐや中央領域２０１ｒではなく、主に端部領域２０１ｑの剛性を大きくする。これにより、板体２０１ひいては買い物かご５５１の重量をあまり増加させることなく上記の撓みを効果的に低減することができ、板体２０１が溝３ｇを滑らかにスライドできる。
【手続補正７】
【補正対象書類名】明細書
【補正対象項目名】００６２
【補正方法】変更
【補正の内容】
【００６２】
図１０は図６に示す買い物かご５５１の部分ＡＡを示す拡大図であり、かご本体１ａの側壁１１４ａに設けられた挿入スリット１８と、挿入スリット１８に挿入されている板体２０１とを示す。かご本体１ａの挿入スリット１８は、板体２０１の基板部２０１ｓの上面に対向する上内縁１８ａと、板体２０１の下面に対向する下内縁１８ｂとを有する。かご本体１ａは、挿入スリット１８の上内縁１８ａから下方向ＤＦに突出する複数の突起１８ｔを有する。複数の突起１８ｔは、板体２０１が下開口部１２ａを開放しながら挿入スリット１８を通して引き抜き方向Ｄ５０１に移動する際に複数のリブ２０１ｗの間に配置されるように構成されている。実施の形態１では、複数のリブ２０１ｗは複数の突起１８ｔと交互に配置されている。複数の突起１８ｔのうちのいくつかの突起１８ｔは複数のリブ２０１ｗのうちの互いに隣り合う２つのリブ２０１ｗの間に配置されていてもよい。もしくは、複数のリブ２０１ｗのうちのいくつかのリブ２０１ｗは複数の突起１８ｔのうちの互いに隣り合う２つの突起１８ｔの間に配置されていてもよい。その際に、複数の突起１８ｔは、基板部２０１ｓの上面に平行でかつ引き抜き方向Ｄ５０１に直角の方向（前後方向ＤＡＢ）において複数のリブ２０１ｗと部分的に重なっている。この構成により、板体２０１の上面すなわちリブ２０１ｗの上端に載っている商品が薄い場合でも、板体２０１が引き抜き方向Ｄ５０１に移動する際にその商品が複数の突起１８ｔの少なくとも１つに当たり、挿入スリット１８から内部空間５０１ａの外部に出ることを防ぐことができる。実施の形態１では、前後方向ＤＡＢから見て、複数の突起１８ｔと複数のリブ２０１ｗは上下方向ＤＥＦの幅Ｌ１１６だけ重なっている。板体２０１の基板部２０１ｓの上面と挿入スリット１８の上内縁１８ａとの上下方向ＤＥＦの間隔Ｌ１１５は幅Ｌ１１６より大きい。複数の突起１８ｔの下端は、板体２０１の基板部２０１ｓの上面から離れている。
【手続補正８】
【補正対象書類名】明細書
【補正対象項目名】００７０
【補正方法】変更
【補正の内容】
【００７０】
ヨーク６１２、６１３は磁性体金属よりなり、大きい強度を有する。図１１に示すように、板体２０に埋め込まれたヨーク６１２は板体２０１の側壁１２０１ａから基板部２０１ｓまで延びる。したがって、大きい強度を有するヨーク６１２が側壁１２０１ａから基板部２０１ｓに亘って延びているので、側壁１２０１ａが強固に基板部２０１ｓに繋がり、かつ側壁１２０１ａ自体の強度を大きくすることができる。図１２に示すように、かご本体１ａに埋め込まれたヨーク６１３は、側壁１１４ａの凹部２１１４ａの両側の部分の一方から他方まで凹部２１１４ａを通過して延びる。これにより、側壁１１４ａのうちの凹部２１１４ａにより薄くなっている部分の強度を大きくすることができる。このように、ヨーク６１２、６１３により買い物かご５５１の強度を大きくすることができる。
【手続補正９】
【補正対象書類名】明細書
【補正対象項目名】００８１
【補正方法】変更
【補正の内容】
【００８１】
分割体２６ｂは、底部２ｂが下開口部１２を閉じた状態では、分割体２６ａよりも下方に配置される。分割体２６ａの底板２７ａの前後方向ＤＡＢの長さは、分割体２６ｂの底板２７ｂの前後方向ＤＡＢの長さよりも小さい。また、分割体２６ａの立上板２８ａの長さは、分割体２６ｂの立上板２８ｂの長さよりも小さい。これにより、分割体２６ｂが回転して上方向ＤＥに移動すると、分割体２６ａの分割体２６ｂに重なった部分が増大してゆき、分割体２６ａは分割体２６ｂの内側に入り込む、すなわち分割体２６ｂと内部空間５０１ａの間に位置する。分割体２６ｂは、底部２ｂが下開口部１２を閉じた状態では、分割体２６ａよりも下方に配置される。同様に、分割体２６ｃの底板２７ｃの前後方向ＤＡＢの長さは、分割体２６ｄの底板２７ｄの前後方向ＤＡＢの長さよりも小さい。また、分割体２６ｃの立上板２８ｂの長さは、分割体２６ｄの立上板２８ｂの長さよりも小さい。これにより、分割体２６ｄが回転して上方向ＤＥに移動すると、分割体２６ｃの分割体２６ｄに重なった部分が増大してゆき、分割体２６ｃは分割体２６ｄの内側に入り込む、すなわち分割体２６ｄと内部空間５０１ａの間に位置する。これにより、下開口部１２が開放する。
【手続補正１０】
【補正対象書類名】明細書
【補正対象項目名】０１０５
【補正方法】変更
【補正の内容】
【０１０５】
１，１ａ    かご本体
２，２ｃ    底部
３    ガイドレール
３ｇ    溝（第２の溝、第３の溝）
４    配置維持部
１１    上開口部
１２，１２ａ    下開口部
１８    挿入スリット
１８ｔ    突起
２２    板体
２５ａ，２５ｂ    回転体
２６ａ〜２６ｄ    分割体
４０    シート状部材
９１    軸（第１の軸）
９２    軸（第２の軸）
１１４ａ    側壁（第１の側壁）
１１４ｂ    側壁（第２の側壁）
１１４ｇ    溝（第１の溝）
１１７ａ    側壁（第３の側壁）
１１７ｂ    側壁（第４の側壁）
２０１    板体
２０１ｐ    端部領域（第１の端部領域）
２０１ｑ    端部領域（第２の端部領域）
２０１ｒ    中央領域
２０１ｓ    基板部
２０１ｔ    リブ
２０１ｗ    リブ
Ｄ５０１    引き抜き方向
５０１ａ    内部空間
【手続補正１１】
【補正対象書類名】特許請求の範囲
【補正対象項目名】全文
【補正方法】変更
【補正の内容】
【特許請求の範囲】
【請求項１】
上下方向で互いに反対側に位置する上開口部と下開口部とを有し、商品を収容可能なかご本体と、
前記下開口部を開閉可能に前記かご本体に取り付けられた底部と、
を備え、
前記底部が前記下開口部を閉じると、前記かご本体と前記底部とで囲まれてかつ前記上開口部と前記下開口部とに繋がる内部空間に前記商品が収容可能となり、
前記底部が前記下開口部を開放すると、前記下開口部を通して前記内部空間から前記商品を取り出し可能に構成されている、買い物かご。
【請求項２】
前記底部は、前記かご本体に対して前記上下方向と異なる横方向に移動可能に構成されている、請求項１に記載の買い物かご。
【請求項３】
前記底部は、前記かご本体に対してスライド可能な板体を有している、請求項１または請求項２に記載の買い物かご。
【請求項４】
前記かご本体は、前記板体の移動をガイドするガイドレールを有する、請求項３に記載の買い物かご。
【請求項５】
前記板体は、前記下開口部を塞ぐことができて、かつ前記かご本体に対して引き抜き方向にスライドすることで前記下開口部を開放するように移動するように構成されており、
前記板体は、前記引き抜き方向の第１の端部領域と、前記第１の端部領域と反対側の第２の端部領域と、前記第１の端部領域と前記第２の端部領域との間に位置して前記第１の端部領域と前記第２の端部領域とに繋がる中央領域とを有し、
前記板体の前記第２の端部領域の剛性は、前記中央領域の剛性より大きい、請求項３または請求項４に記載の買い物かご。
【請求項６】
前記板体の前記第２の端部領域の前記上下方向の厚さの平均は、前記中央領域の前記上下方向の厚さの平均より大きい、請求項５に記載の買い物かご。
【請求項７】
（補正後）前記板体は、
板形状を有する基板部と、
前記基板部の上面と下面のうちの一方から突出するリブと、
を有し、
前記板体の前記第２の端部領域は、前記かご本体に対向する外縁を含み、
前記板体の第２の端部領域において、前記基板部の前記上下方向の厚さは前記外縁に近づくにつれて大きくなる、請求項６に記載の買い物かご。
【請求項８】
前記板体は、
板形状を有する基板部と、
前記基板部の上面から突出する複数のリブと、
を有する、請求項３または４に記載の買い物かご。
【請求項９】
前記かご本体には、前記板体が挿入された挿入スリットが設けられており、
前記板体は、前記下開口部を塞ぐことができて、かつ引き抜き方向にスライドすることで前記下開口部を開放するように前記挿入スリットを通して移動するように構成されており、
前記板体の前記複数のリブは前記引き抜き方向に延び、
前記かご本体の前記挿入スリットは、前記基板部の前記上面に対向する上内縁を有し、
前記かご本体は、前記挿入スリットの前記上内縁から下方向に突出する複数の突起を有し、
前記複数の突起は、前記板体が前記下開口部を開放しながら前記挿入スリットを通して前記引き抜き方向に移動する際に前記複数のリブの間に配置されるように構成されており、
前記板体が前記下開口部を開放しながら前記挿入スリットを通して前記かご本体から前記引き抜き方向に移動する際に、前記かご本体の前記複数の突起は、前記基板部の前記上面に平行でかつ前記引き抜き方向に直角の方向において前記複数のリブと部分的に重なっている、請求項８に記載の買い物かご。
【請求項１０】
前記かご本体は、
前記板体が挿入された挿入スリットが設けられた第１の側壁と、
前記内部空間を挟んで前記第１の側壁の反対側の第２の側壁と、
前記第１の側壁の両端の一方から前記第２の側壁の両端の一方まで延びる第３の側壁と、
前記第１の側壁の前記両端の他方から前記第２の側壁の前記両端の他方まで延びて、前記内部空間を挟んで前記第３の側壁の反対側に位置する第４の側壁と、
を有し、
前記板体は、前記下開口部を塞ぐことができて、かつ引き抜き方向にスライドすることで前記下開口部を開放するように前記挿入スリットを通して移動するように構成されており、
前記板体は、第２の側壁に対向する凹んだ第１の外縁を有する、請求項３または４に記載の買い物かご。
【請求項１１】
前記かご本体の前記第２の側壁には、前記板体が前記下開口部を塞いだときに前記板体の前記第１の外縁が嵌まり込む第１の溝が設けられている、請求項１０に記載の買い物かご。
【請求項１２】
前記板体は、
前記かご本体の前記第３の側壁に対向してかつ前記第１の外縁に繋がる第２の外縁と、
前記かご本体の前記第４の側壁に対向してかつ前記第１の外縁に繋がる第３の外縁と、
をさらに有し、
前記第３の側壁と前記第４の側壁には、前記板体が前記引き抜き方向にスライドする際に前記板体の前記第２の外縁と前記第３の外縁とがスライドする第２の溝と第３の溝がそれぞれ設けられている、請求項１１に記載の買い物かご。
【請求項１３】
前記第１の溝は前記第２の溝と前記第３の溝とに繋がっている、請求項１２に記載の買い物かご。
【請求項１４】
前記下開口部が開放されるときに、前記底部に置かれた前記商品の配置を保つように構成された配置維持部をさらに備えた、請求項３または請求項４に記載の買い物かご。
【請求項１５】
前記配置維持部は、前記かご本体に固定された第１の端部と、前記第１の端部の反対側に位置する第２の端部とを有するシート状部材を有しており、
前記シート状部材は、前記第１の端部から前記第２の端部に向かって前記板体の上面と下面とにこの順で沿うように延びる、請求項１４に記載の買い物かご。
【請求項１６】
前記底部は、前記下開口部を閉じて前記商品を載せることができる第１の回転体と第２の回転体とを有しており、
前記第１の回転体と前記第２の回転体とは、前記かご本体に対して軸部周りの互いに異なる方向に回転可能に構成されている、請求項１または請求項２に記載の買い物かご。
【請求項１７】
前記軸部は、前記第１の回転体を軸支する第１の軸と、前記第２の回転体を軸支する第２の軸とを有し、
前記第１の回転体と前記第２の回転体とが前記下開口部を閉じた状態において、前記第１の軸は、前記第１の回転体における前記第２の回転体に対向する端部に設けられており、前記第２の軸は、前記第２の回転体における前記第１の回転体に対向する端部に設けられている、請求項１６に記載の買い物かご。
【請求項１８】
前記第１の回転体と前記第２の回転体の各々は、互いに移動可能である複数の分割体を有し、
前記第１の回転体と前記第２の回転体とが互いに離れる方向に回転すると、前記複数の分割体は、互いに重なり合いながら前記下開口部を開放させるように構成されている、請求項１６または請求項１７に記載の買い物かご。
【請求項１９】
前記第１の回転体と前記第２の回転体とは、互いに異なる方向に同期して回転するように構成されている、請求項１６から請求項１８のいずれか一項に記載の買い物かご。
【手続補正１２】
【補正対象書類名】図面
【補正対象項目名】図５
【補正方法】変更
【補正の内容】
【図５】
2017094261.tif 000031
【国際調査報告】
2017094261.tif 000032
2017094261.tif 000033
2017094261.tif 000034
2017094261.tif 000035